(57)【特許請求の範囲】
【請求項１】
バグフィルタを垂設したキャビネットに箱体を介して排ガスを誘導しかつ前記キャビネットと前記箱体との連通箇所に分散板を設け、前記箱体内の上部に水平状に延びかつポペット式ダンパによって開閉される排ガス導入孔を有する仕切り板によって排ガス供給口の一部を画成したバグフィルタ式集塵機において、
前記仕切り板の下面に、下端が前記キャビネット内の下部位置に臨みかつ通気性を有する筒状の整流ダクトの上端部を、前記排ガス導入孔の真下に位置させて固着し、
前記整流ダクトは、
前記排ガス導入孔から流入した排ガスの流れを強制的に垂直方向の下方へ変更するとともに、前記箱体内の排ガスの一部が整流ダクトの壁部から整流ダクト内に流入して圧力を下げる機能を有することを特徴とするバグフィルタ式集塵機。
【請求項２】
請求項1に記載のバグフィルタ式集塵機において、
前記整流ダクトは、網目状の孔を有する鋼板またはパンチングメタルで製作したことを特徴とするバグフィルタ式集塵機。
【発明の詳細な説明】
【技術分野】
【０００１】
本発明は、バグフィルタ式集塵機の改良に関する。
【背景技術】
【０００２】
従来、バグフィルタ式集塵機の一つとして縦断面図である図２−イおよび図２−イの左側面縦断面図である図２−ロに示すものがある。このバグフィルタ式集塵機においては、キャビネット１内の上部を上下に仕切る仕切り板２に多数のバグフィルタ３・３が垂設され、前記キャビネット１の外面に箱体４が装着され、キャビネット１と箱体４は開口部を介して相互に連通し、この開口部には上下に延びる格子とパンチングメタルで成る分散板５が設けられ、前記箱体４内の上部には３枚の上・中・下仕切り板６・７・８により上・中・下室９・１０・１１の３室が画成され、下室１１の側壁には排ガス供給口１２が、また中室１０の側壁には清浄ガス排出口１３が排ガス供給口１２と対向してそれぞれ設けられ、前記下仕切り板８には２個の排ガス導入孔１４・１４が、また上仕切り板６には２個の清浄ガス導入孔１５・１５が２個の排ガス導入孔１４・１４の真上にそれぞれ位置して設けられ、前記箱体４には、上下に所要の間隔をおき対向して配置した２個のポペット式ダンパ１６・１７を下向きのシリンダ１８の伸縮作動によって昇降させて２個の前記排ガス導入孔１４・１４と２個の前記清浄ガス導入孔１５・１５をそれぞれ開閉する２組のダンパ装置１９・１９が装着され、さらに、前記中仕切り板７における前記排ガス供給口１２の近傍にはダンパ機構２０によって開閉する通気孔２１が設けられている。
【０００３】
そして、このバグフィルタ式集塵機においては、排ガス供給口１２から供給された排ガスは、２個の排ガス導入孔１４・１４を通ったのち分散板５によって粗い粉塵を除去されながらキャビネット１内に流入し、続いて、バグフィルタ３・３によって細かい粉塵を捕集されたのちキャビネット１の上室、箱体４の上室９、清浄ガス導入孔１５および中室１０を順次通過して清浄ガス排出口１３から排出されるようになっている。
【０００４】
また、バグフィルタ３・３を貫流させるべきでない排ガスが排ガス供給口１２に供給された場合には、２組のダンパ装置１９・１９のシリンダ１８・１８の伸長作動により、排ガス導入孔１４・１４および清浄ガス導入孔１５・１５が２個のポペット式ダンパ１６・１７によってそれぞれ閉じられるとともに、ダンパ機構２０の作動により通気孔２１が開かれて排ガス供給口１２に供給された排ガスは通気孔２１および中室１０を通って清浄ガス排出口１３から排出されるようになっている。
【発明の開示】
【発明が解決しようとする課題】
【０００５】
しかし、このように構成された従来のバグフィルタ式集塵機では、排ガス供給口１２に供給された排ガスが下室１１内を水平状に流れたのち垂直方向の下方へ曲がって流れ、分散板５を貫流してキャビネット1内に流入するように構成されているが、分散板５を貫流した排ガスは、実際は慣性によって水平方向へそのまま進行しようとするため、排ガスがバグフィルタ３・３に横向きの強い風として作用してバグフィルタ３・３に揺れが生じ、それに伴って、バグフィルタ３・３同士が接触・摩擦して早期に摩耗するうえに、粉塵の捕集に偏りが生じるなどの問題があった。
【０００６】
本発明は、上記の問題を解消するためになされたもので、その目的は、排ガス供給口に供給されて水平方向へ流れる排ガスを適確に垂直方向の下方へ誘導するとともに排ガスがバグフィルタに横向きの強い風として作用するのを阻止することができるバグフィルタ式集塵機を提供することにある。
【課題を解決するための手段】
【０００７】
上記の目的を達成するために本発明のバグフィルタ式集塵機は、バグフィルタを垂設したキャビネットに箱体を介して排ガスを誘導しかつ前記キャビネットと前記箱体との連通箇所に分散板を設け、前記箱体内の上部に水平状に延びかつポペット式ダンパによって開閉される排ガス導入孔を有する仕切り板によって排ガス供給口の一部を画成したバグフィルタ式集塵機において、前記仕切り板の下面に、下端が前記キャビネット内の下部位置に臨みかつ通気性を有する筒状の整流ダクトの上端部を、前記排ガス導入孔の真下に位置させて固着し、前記整流ダクトは、前記排ガス導入孔から流入した排ガスの流れを強制的に垂直方向の下方へ変更するとともに、前記箱体内の排ガスの一部が整流ダクトの壁部から整流ダクト内に流入して圧力を下げる機能を有することを特徴とする。
【０００８】
このように構成されたものにおいては、排ガス供給口に供給されて水平方向へ流れる排ガスは、排ガス導入孔から整流ダクトに流入して流れを強制的に垂直方向の下方へ変更されるとともに、一部が整流ダクトの壁部から流出して圧力を下げられたのちキャビネット内の下部に導入される。そして、整流ダクトの壁部から流出した排ガスだけが箱体内を通り、分散板を貫流してキャビネット内に入る。このため、排ガスがバグフィルタに横向きの強い風として作用することはない。
【発明の効果】
【０００９】
以上の説明から明らかなように本発明は、バグフィルタを垂設したキャビネットに箱体を介して排ガスを誘導しかつ前記キャビネットと前記箱体との連通箇所に分散板を設け、前記箱体内の上部に水平状に延びかつポペット式ダンパによって開閉される排ガス導入孔を有する仕切り板によって排ガス供給口の一部を画成したバグフィルタ式集塵機において、前記仕切り板の下面に、下端が前記キャビネット内の下部位置に臨みかつ通気性を有する筒状の整流ダクトの上端部を、前記排ガス導入孔の真下に位置させて固着し、前記整流ダクトは、前記排ガス導入孔から流入した排ガスの流れを強制的に垂直方向の下方へ変更するとともに、前記箱体内の排ガスの一部が整流ダクトの壁部から整流ダクト内に流入して圧力を下げる機能を有するから、排ガス供給口に供給されて水平方向へ流れる排ガスは、排ガス導入孔から整流ダクトに流入して流れを強制的に垂直方向の下方へ変更されるとともに、一部が整流ダクトの壁部から流出して圧力を下げられたのちキャビネット内の下部に導入され、しかも、整流ダクトの壁部から流出した排ガスだけが分散板を貫流してキャビネット内に流入するため、排ガスがバグフィルタに横向きの強い風として作用するのを未然にして適確に防ぐことができるうえに、バグフィルタの粉塵捕集の偏りを防止することも可能になる優れた実用的効果を奏する。
【発明を実施するための最良の形態】
【００１０】
以下、本発明を適用したバグフィルタ式集塵機について図１に基づき詳細に説明する。本バグフィルタ式集塵機は、上述の図２で示したバグフィルタ式集塵機のように、バグフィルタ３を垂設したキャビネット１に箱体４を介して排ガスを誘導しかつ前記キャビネット1と前記箱体４との連通箇所に分散板５を設け、前記箱体４内の上部に水平状に延びかつ排ガス導入孔１４を有する仕切り板としての下仕切り板８によって排ガス供給口１２の一部を画成した従来のバグフィルタ式集塵機において、図１に示すように、前記下仕切り板８の下面に、下端が前記キャビネット１内の下部位置に臨みかつ通気性を有する筒状の整流ダクト２２の上端部を、前記排ガス導入孔１４に連通させて固着してある。そして、前記整流ダクト２２は、網目状の孔を有する鋼板またはパンチングメタルで製作してある。
【００１１】
なお、本発明のバグフィルタ式集塵機における従来のバグフィルタ式集塵機と共通する他の構成要素は、上述の図２における符号等を流用してその説明を省略する。
【００１２】
このように構成したものは、排ガス供給口１２に供給されて水平方向へ流れる排ガスが、排ガス導入孔１４から整流ダクト２２に流入して流れを強制的に垂直方向の下方へ変更されるとともに、一部が整流ダクト２２の壁部から流入して圧力を下げられたのちキャビネット１内の下部に導入される。そして、整流ダクト２２の壁部から流出した排ガスだけが箱体４内を通り分散板５を貫流してキャビネット１内に入る。このため、排ガスがバグフィルタ３・３に横向きの強い風として作用することはない。
【図面の簡単な説明】
【００１３】
【図１】本発明を適用したバグフィルタ式集塵機の主要部の一部断面拡大詳細図である。
【図２】従来のバグフィルタ式集塵機の縦断面図とこれの左側面縦断面図である。
【符号の説明】
【００１４】
１    キャビネット
３    バグフィルタ
４    箱体
５    分散板
８    下仕切り板
１２    排ガス供給口
１４    排ガス導入孔
２２    整流ダクト
【図１】
0004596328.tif 000002
【図２】
0004596328.tif 000003